Podtech/llm-jp-corpus-v4-ja_patent huggingface dataset:
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
生物学的に活性な分子をコードするＡＡＶベクターを含む、代謝性疾患を治療するための医薬組成物であって、注入されるＡＡＶベクターが中枢神経系の遠位部位に局在する細胞を透過し、コードされた生物学的に活性な分子が翻訳される条件下において、哺乳類の疾患にかかっている中枢神経系の部位に投与される、組成物。
【請求項２】
次いで、翻訳された生物学的に活性な分子が発現される、請求項１に記載の組成物。
【請求項３】
哺乳類がリソソーム蓄積症または異常なコレステロール代謝である、請求項１に記載の組成物。
【請求項４】
リソソーム蓄積症がニーマン−ピック病Ａ型である、請求項３に記載の組成物。
【請求項５】
哺乳類がヒトである、請求項１に記載の組成物。
【請求項６】
遠位部位が投与部位に対して対側である、請求項１に記載の組成物。
【請求項７】
投与部位が脊髄、脳幹、海馬、線条体、延髄、脳橋、中脳、小脳、視床、視床下部、大脳皮質、後頭葉、側頭葉、頭頂葉、および前頭葉からなる群から選択されるＣＮＳ領域である、請求項１に記載の組成物。
【請求項８】
投与部位が海馬内であり、遠位部位が対側の歯状回、対側のＣＡ３、内側隔壁、および嗅内皮質からなる群から選択される脳の領域内である、請求項１に記載の組成物。
【請求項９】
投与部位が線条体および小脳からなる群から選択される脳の領域内であり、遠位部位が黒質および延髄からなる群から選択される脳の領域内である、請求項１に記載の組成物。
【請求項１０】
投与部位が小脳の深部小脳核内である、請求項９に記載の組成物。
【請求項１１】
ＡＡＶベクターがＡＡＶ血清型１キャプシドを有する、請求項１に記載の組成物。
【請求項１２】
ＡＡＶベクターがＡＡＶ血清型１キャプシドを有する、請求項３または４に記載の組成物。
【請求項１３】
ＡＡＶベクターがＡＡＶ血清型１キャプシドを有する、請求項１０に記載の組成物。
【請求項１４】
ＡＡＶベクターがＡＡＶ１またはＡＡＶ２／１である、請求項１に記載の組成物。
【請求項１５】
ＡＡＶベクターがＡＡＶ１またはＡＡＶ２／１である、請求項３または４に記載の組成物。
【請求項１６】
ＡＡＶベクターＡＡＶ１またはＡＡＶ２／１である、請求項１０に記載の組成物。
【請求項１７】
哺乳類のＣＮＳ内の第２部位への投与をさらに含む組成物であって、組成物が生物学的に活性な分子の産物をコードするポリヌクレオチドを含むＡＡＶベクターを含む、請求項１に記載の組成物。
【請求項１８】
第２の投与部位が第１の投与部位の対側である、請求項１７に記載の組成物。
【請求項１９】
生物学的に活性な分子がリソソーム加水分解酵素である、請求項２に記載の組成物。
【請求項２０】
リソソーム加水分解酵素が表１に記載されるリソソーム加水分解酵素のうちのいずれか１つである、請求項１９に記載の組成物。
【請求項２１】
リソソーム加水分解酵素が酸スフィンゴミエリナーゼである、請求項２０に記載の組成物。
【請求項２２】
投与部位が深部小脳核内であり、遠位部位が脊髄である、請求項１に記載の組成物。
【請求項２３】
投与部位および遠位部位の間の距離が少なくとも２ｍｍである、請求項１に記載の組成物。
【請求項２４】
組成物中のＡＡＶベクター濃度が少なくとも５×１０１２ｇｐ／ｍｌである、請求項１に記載の組成物。
【請求項２５】
金属エンドペプチダーゼ分子をコードするＡＡＶベクターを含む、アルツハイマー病を治療するための医薬組成物であって、注入されるＡＡＶベクターが中枢神経系の遠位部位に局在する細胞を透過し、コードされた金属エンドペプチダーゼが発現される条件下において、アルツハイマー病にかかっている哺乳類の中枢神経系の部位に投与される、組成物。
【請求項２６】
金属エンドペプチダーゼがネプリライシン、インスリジン、およびチメット（ｔｈｉｍｅｔ）オリゴペプチダーゼからなる群から選択される、請求項２５に記載の組成物。
【請求項２７】
ＡＡＶベクターがＡＡＶ２、ＡＡＶ３、ＡＡＶ４、ＡＡＶ５、ＡＡＶ６、ＡＡＶ７、およびＡＡＶ８からなる群から選択される、請求項１または２５に記載の組成物。
【請求項２８】
投与部位と遠位部位の間の距離が少なくとも２ｍｍである、請求項２５に記載の組成物。
【請求項２９】
組成物中のＡＡＶベクター濃度が少なくとも５×１０１２ｇｐ／ｍｌである、請求項２５に記載の組成物。
【請求項３０】
ＡＡＶベクターがＡＡＶ２、ＡＡＶ３、ＡＡＶ４、ＡＡＶ５、ＡＡＶ６、ＡＡＶ７、およびＡＡＶ８からなる群から選択される、請求項２９に記載の組成物。
【請求項３１】
ＡＡＶが組み換えＡＡＶベクターである、請求項２９に記載の組成物。
【請求項３２】
組み換えＡＡＶベクターがＡＡＶ２／１、ＡＡＶ２／２、ＡＡＶ２／５、ＡＡＶ２／７およびＡＡＶ２／８血清型ベクターからなる群から選択される、請求項２９に記載の組成物。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
１０００ｎｍ未満の平均粒子径を有する難溶性の原薬、固体又は半固体の分散媒、及び場合により非表面改質性の添加剤を含む、薬学的ナノ粒子処方物。
【請求項２】
難溶性の原薬が７５０ｎｍ未満の平均粒子径を有する、請求項１に記載の処方物。
【請求項３】
難溶性の原薬が６００ｎｍ未満の平均粒子径を有する、請求項１に記載の処方物。
【請求項４】
難溶性の原薬の少なくとも９５％が、１０００ｎｍ未満の粒子径を有する、請求項１に記載の処方物。
【請求項５】
処方物中の難溶性の原薬の量が０.０１質量％〜３０質量％の範囲である、請求項１に記載の処方物。
【請求項６】
処方物中の難溶性の原薬の量が１質量％〜２０質量％の範囲である、請求項５に記載の処方物。
【請求項７】
非表面改質性の添加剤が非表面改質性の薬学的に許容できる固体賦形剤である、請求項１に記載の処方物。
【請求項８】
難溶性の原薬が、蛋白質、ペプチド、機能性食品、抗炎症薬、ＮＳＡＩＤ、ＣＯＸ−２阻害薬、鎮痛薬、抗ムスカリン薬、ムスカリン様作用薬、コルチコステロイド、エラスターゼ阻害薬、腫瘍療法薬、抗嘔吐薬、神経保護薬、心血管薬、抗血小板薬、脂質調節薬、抗凝固薬、駆虫薬、抗不整脈薬、心臓変力薬、降圧薬、利尿薬、診断薬、画像診断薬、抗ウイルス薬、抗真菌薬、抗生物質、抗ミコバクテリア薬、抗痙攣薬、抗糖尿病薬、抗てんかん薬、抗腫瘍薬、免疫活性薬、免疫抑制薬、抗甲状腺薬、甲状腺用薬、抗うつ薬、麻酔薬、抗不安薬、睡眠薬、神経弛緩薬、収れん薬、ベータアドレナリン受容体遮断薬、ドパミン作用薬、止血薬、免疫薬、筋弛緩薬、副交感神経作用薬、副甲状腺カルシトニン、ビスホスホネート、プロスタグランジン、放射性医薬品、性ホルモン、ステロイド、刺激薬、食欲抑制薬、交感神経作用薬、抗アレルギー薬、抗ヒスタミン薬、鎮咳薬、血管拡張薬
、及びキサンチン類からなる群より選択される１つ又はそれ以上である、請求項１に記載の処方物。
【請求項９】
難溶性の原薬が、神経保護薬、抗不整脈薬、抗痙攣薬、及び抗不安薬からなる群より選択される１つ又はそれ以上である、請求項８に記載の処方物。
【請求項１０】
難溶性の原薬が、７−クロロ−Ｎ，Ｎ，５−トリメチル−４−オキソ−３−フェニル−３，５−ジヒドロ−４Ｈ−ピリダジノ［４，５−ｂ］インドール−１−アセトアミド、６−フルオロ−９−メチル−２−フェニル−４−（ピロリジン−１−イルカルボニル）−２，９−ジヒドロ−１Ｈ−ピリド［３，４−ｂ］インドール−１−オン、及び２−ブチル−３−［４−［３−（ジブチルアミノ）プロピル］ベンゾイル］−１−ベンゾフラン−５−カルボン酸イソプロピルフマル酸塩からなる群より選択される、請求項１に記載の処方物。
【請求項１１】
難溶性の原薬が、７−クロロ−Ｎ，Ｎ，５−トリメチル−４−オキソ−３−フェニル−３，５−ジヒドロ−４Ｈ−ピリダジノ［４，５−ｂ］インドール−１−アセトアミドである、請求項１０に記載の処方物。
【請求項１２】
難溶性の原薬が、６−フルオロ−９−メチル−２−フェニル−４−（ピロリジン−１−イルカルボニル）−２，９−ジヒドロ−１Ｈ−ピリド［３，４−ｂ］インドール−１−オンである、請求項１０に記載の処方物。
【請求項１３】
難溶性の原薬が、２−ブチル−３−［４−［３−（ジブチルアミノ）プロピル］ベンゾイル］−１−ベンゾフラン−５−カルボン酸イソプロピルフマル酸塩である、請求項１０に記載の処方物。
【請求項１４】
分散媒が、硬化植物油、トリグリセリド、硬化ココグリセリド、混合グリセリド、硬化グリセリド、合成グリセリド、分別脂肪酸のグリセリンエステル、脂肪酸の非表面活性エステル、脂肪酸、ココアバター、ココアバター代用物、ハード脂、天然ろう及び合成ろう、並びにワセリンからなる群より選択される１つ又はそれ以上の物質である、請求項１に記載の処方物。
【請求項１５】
分散媒が、硬化植物油、トリグリセリド、硬化ココグリセリド、混合グリセリド、硬化グリセリド、合成グリセリド、分別脂肪酸のグリセリンエステル、脂肪酸のプロピレングリコールジエステル、その他の脂肪酸の非表面活性エステル、脂肪酸、ココアバター、ココアバター代用物、ハード脂、天然ろう及び合成ろう、並びにワセリンからなる群より選択される１つ又はそれ以上の物質である、請求項１０に記載の処方物。
【請求項１６】
分散媒が硬化植物油、ハード脂、及び硬化ココグリセリドからなる群より選択される１つ又はそれ以上の物質である、請求項１５に記載の処方物。
【請求項１７】
分散媒が１つ又はそれ以上の硬化植物油である、請求項１１に記載の処方物。
【請求項１８】
分散媒が１つ又はそれ以上のハード脂である、請求項１２に記載の処方物。
【請求項１９】
分散媒が１つ又はそれ以上の硬化ココグリセリドである、請求項１３に記載の処方物。
【請求項２０】
固体又は半固体の分散媒が２つ又はそれ以上の物質の混合物である、請求項１に記載の処方物。
【請求項２１】
神経変性疾患又はがんの治療のための医薬の製造における、請求項１１に記載の薬学的ナノ粒子処方物の使用。
【請求項２２】
不安、てんかん、痙縮、又は筋拘縮の治療のための医薬の製造における、請求項１２に記載の薬学的ナノ粒子処方物の使用。
【請求項２３】
不整脈の治療のための医薬の製造における、請求項１３に記載の薬学的ナノ粒子処方物の使用。
【請求項２４】
（ａ）１つ又はそれ以上の難溶性の原薬と、室温で固体又は半固体の溶融分散媒を混合する工程、及び
（ｂ）混合物をメディアミルに供してナノ粒子処方物を形成する工程、
を含む、請求項１に記載のナノ粒子処方物の調製法。
【請求項２５】
（ａ）固体又は半固体の分散媒を固体又は半固体の分散媒の融点又はそれ以上の第一の温度範囲に加熱して溶融分散媒を形成する工程、
（ｂ）１つ又はそれ以上の難溶性の原薬と溶融分散媒を混合して混合物を形成する工程、
（ｃ）混合物を複数の粉砕メディアと共にメディアミルに供してナノ懸濁物を形成する工程、及び
（ｄ）固体又は半固体の分散媒の融点未満の第二の温度範囲にナノ懸濁物を冷却してナノ粒子処方物を形成する工程、
を含む、請求項２４に記載の方法。
【請求項２６】
（ａ）固体又は半固体の分散媒を固体又は半固体の分散媒の融点又はそれ以上の第一の温度範囲に加熱して溶融分散媒を形成する工程、
（ｂ）１つ又はそれ以上の難溶性の原薬と溶融分散媒を混合して混合物を形成する工程、
（ｃ）混合物を複数の粉砕メディアと共にメディアミルに供してナノ懸濁物を形成する工程、
（ｄ）ナノ懸濁物をカプセルに充填する工程、及び
（ｅ）固体又は半固体の分散媒の融点未満の第二の温度範囲にカプセルを冷却してナノ粒子処方物を形成する工程、
を含む、請求項２４に記載の方法。
【請求項２７】
（ａ）固体又は半固体の分散媒を固体又は半固体の分散媒の融点又はそれ以上の第一の温度範囲に加熱して溶融分散媒を形成する工程、
（ｂ）１つ又はそれ以上の難溶性の原薬と溶融分散媒を混合して混合物を形成する工程、
（ｃ）混合物を複数の粉砕メディアと共にメディアミルに供してナノ懸濁物を形成する工程、及び
（ｄ）非表面改質性の固体添加剤の上にナノ懸濁物を造粒処理して固体処方物を形成する工程、
を含む、請求項２４に記載の方法。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
トランスジーンを含む組換え神経向性ウイルスベクターを含む医薬組成物であって、脊髄および／または脳幹へのトランスジーン産物の送達を助ける条件下で、脳の深部小脳核領域の少なくとも１つの領域へ投与される、組成物。
【請求項２】
トランスジーンを含む組換え神経向性ウイルスベクターを含む医薬組成物であって、脊髄へのトランスジーン産物の送達を助ける条件下で、脳の運動皮質領域へ投与される、組成物。
【請求項３】
トランスジーンを含む組換え神経向性ウイルスベクターを含む、対象の運動ニューロンへトランスジーンを送達させるための医薬組成物であって、脳の深部小脳核領域の少なくとも１つの領域へ投与され、該トランスジーンが該投与部位に対して遠位の運動ニューロンで発現されるか、または該運動ニューロンへ送達されるものである、組成物。
【請求項４】
トランスジーンを含む神経向性ウイルスベクターを含む、対象の運動ニューロンへトランスジーンを送達させるための医薬組成物であって、脳の運動皮質領域へ投与され、該トランスジーンが該投与部位に対して遠位の運動ニューロンで発現されるか、または該運動ニューロンへ送達されるものである、組成物。
【請求項５】
治療用トランスジーンを含む組換え神経向性ウイルスベクターを含む、対象における運動ニューロン障害の処置のための医薬組成物であって、脳の深部小脳核領域の少なくとも１つの領域へ投与され、トランスジーン産物が脊髄の少なくとも１つの小区分および／または脳幹の少なくとも１つの区分へ治療上有効量で送達されるものである、組成物。
【請求項６】
治療用トランスジーンを含む組換え神経向性ウイルスベクターを含む、対象における運動ニューロン障害の徴候の改善のための医薬組成物であって、脳の運動皮質領域へ投与され、ここで、トランスジーン産物が脊髄の少なくとも１つの小区分へ治療上有効量で送達されるものである、組成物。
【請求項７】
神経向性ウイルスベクターがアデノ随伴ウイルスベクター（ＡＡＶ）である、請求項１〜６いずれか１項に記載の組成物。
【請求項８】
神経向性ウイルスベクターが、ＡＡＶ１、ＡＡＶ２、ＡＡＶ３、ＡＡＶ４、ＡＡＶ５、ＡＡＶ６、ＡＡＶ７およびＡＡＶ８からなる群より選択されるアデノ随伴ウイルスベクターである、請求項１〜６いずれか１項に記載の組成物。
【請求項９】
脳の深部小脳核領域の領域が、内側領域、中間領域および外側領域からなる群より選択される、請求項１、３または５いずれか１項に記載の組成物。
【請求項１０】
送達が両側性である、請求項１〜６いずれか１項に記載の組成物。
【請求項１１】
脊髄小区分が頸部小区分、胸部小区分、腰部小区分および尾部小区分からなる群より選択される、請求項５または６記載の組成物。
【請求項１２】
トランスジーンが脊髄の全小区分へ送達される、請求項５または６記載の組成物。
【請求項１３】
複数回投与の少なくとも１回が両側性である、請求項１２記載の組成物。
【請求項１４】
トランスジーンが、インスリン成長因子−１（ＩＧＦ−１）、カルビンジンＤ２８、パルブアルブミン、ＨＩＦ１−アルファ、ＳＩＲＴ−２、ＶＥＧＦ、ＳＭＮ−１、ＳＭＮ−２およびＣＮＴＦ（繊毛様神経栄養因子）からなる群より選択される、請求項１〜６いずれか１項に記載の組成物。
【請求項１５】
トランスジーンの発現が、筋萎縮性側索硬化症（ＡＬＳ）、原発性側索硬化症（ＰＬＳ）、球脊髄性筋萎縮症、脊髄小脳失調症、脊髄性筋萎縮症および外傷性脊髄損傷からなる群より選択される運動ニューロン障害の徴候を改善する、請求項６記載の組成物。
【請求項１６】
対象がヒト患者である、請求項１〜６いずれか１項に記載の組成物。
【請求項１７】
トランスジーンが、インスリン成長因子−１（ＩＧＦ−１）、ＥＰＯ（エリスロポエチン）、ＣＢＰ（ｃＡＭＰ応答要素結合蛋白質［ＣＲＥＢ］結合蛋白質）、カルビンジンＤ２８、パルブアルブミン、ＨＩＦ１−アルファ、ＳＩＲＴ−２、ＶＥＧＦ、ＳＭＮ−１、ＳＭＮ−２およびＣＮＴＦ（繊毛様神経栄養因子）からなる群より選択される蛋白質を治療用量で発現する、請求項１〜６いずれか１項に記載の組成物。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
ａ）ペルフルオロ−２−メチル−２−ペンテンに対して、少なくとも化学量論的当量の水性無機塩基、及び
ｂ）極性溶媒
を含む混合物と接触させる工程を含む、ペルフルオロ−２−メチル−２−ペンテン含有ペルフルオロ−４−メチル−２−ペンテンを精製するプロセス。
【請求項２】
前記無機塩基が、前記ペルフルオロ−２−メチル−２−ペンテンの１〜３００倍のモル当量である、請求項１に記載のプロセス。
【請求項３】
前記極性溶媒が、少なくとも７．４（ｃａｌ／ｃｍ3）1/2（〜１５．１（Ｊ／ｃｍ3）1/2）のヒルデブランド溶解度パラメータを有する、請求項１に記載のプロセス。
【請求項４】
前記極性溶媒が、前記ペルフルオロ−４−メチル−２−ペンテン／ペルフルオロ−２−メチル−２−ペンテン混合物に対して、０．１〜１０容積百分率の量にて使用される、請求項１に記載のプロセス。
【請求項５】
ペルフルオロ−２−メチル−２−ペンテンの量が、１０００ｐｐｍ未満にまで減少させられる、請求項１に記載のプロセス。
【請求項６】
ペルフルオロ−２−メチル−２−ペンテンが、水性洗浄によって除去される、（ＣＦ3）2Ｃ＝Ｃ（Ｏ-）ＣＦ2ＣＦ3及び／又は（ＣＦ3）2ＣＨ−Ｃ（ＯＨ）（Ｏ-）ＣＦ2ＣＦ3に転化される、請求項１に記載のプロセス。
【請求項７】
精製したペルフルオロ−４−メチル−２−ペンテンを蒸留で分離する工程を更に含む、請求項１に記載のプロセス。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
式１
【化１】
2008540414.tif 000001
［式中、Ｒ１は、Ｈまたは場合により置換されていてもよい炭素部分である］の化合物の製造方法であって、
（１）（ａ）式２ａ
【化２】
2008540414.tif 000002
［式中、Ｍはアルカリ金属であり、そしてＲ２およびＲ３は、独立してＣ１〜Ｃ４アルキルである］の化合物と、（ｂ）Ｃ１〜Ｃ４アルカノールと、（ｃ）水の第１の部分とを含んでなる混合物を、第１の塩基と、水の第２の部分とを含んでなる溶液と接触させる工程であって、前記塩基が１０〜１４の範囲のｐＨを有する第１の生成溶液を生成するために十分な量であり、前記第１の生成溶液が、式２ｂ
【化３】
2008540414.tif 000003
［式中、ＭおよびＲ３は、式２ａに関して上記の通り定義される］の化合物を含んでなる工程と、
（２）式２ｂの化合物を含んでなる第１の生成溶液を、式３
【化４】
2008540414.tif 000004
［式中、Ｒ１は、式１に関して上記の通り定義される］の化合物もしくはその酸塩、または式３の化合物もしくはその酸塩を含んでなる溶液、および９〜１２の範囲のｐＨを有する第２の生成溶液を生成するために十分な量の第２の塩基と接触させる工程であって、前記第２の生成溶液が式１の化合物の塩を含んでなる工程と、
（３）式１の化合物の塩を含んでなる第２の生成溶液に酸を添加し、式１の化合物を形成する工程と
を含んでなる方法。
【請求項２】
式４
【化５】
2008540414.tif 000005
［式中、Ｒ１は、Ｈまたは場合により置換されていてもよい炭素部分である］の化合物の製造方法であって、
請求項１に記載の方法と、式１の化合物を塩素化剤と接触させる工程を含んでなる更なる工程とを含んでなる方法。
【請求項３】
式６
【化６】
2008540414.tif 000006
［式中、Ｒ１は、Ｈまたは場合により置換されていてもよい炭素部分である］の化合物の製造方法であって、
請求項２に記載の方法と、式４の化合物をクロライド置換剤と接触させる工程を含んでなる更なる工程とを含んでなる方法。
【請求項４】
式７
【化７】
2008540414.tif 000007
［式中、Ｒ１は、Ｈまたは場合により置換されていてもよい炭素部分である］の化合物の製造方法であって、
請求項３に記載の方法と、式６の化合物をアンモニアと接触させる工程を含んでなる更なる工程とを含んでなる方法。
【請求項５】
式８
【化８】
2008540414.tif 000008
［式中、Ｒ１は、Ｈまたは場合により置換されていてもよい炭素部分であり、そしてＲ４は、場合により置換されていてもよい炭素部分である］の化合物の製造方法であって、
請求項４に記載の方法と、式７の化合物をＲ４転移剤と接触させる追加の工程とを含んでなる方法。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
患者における損傷した口腔組織、歯周病及び根管感染症からなる群から選択される歯の状態を治療する方法であって、該方法は、そのような歯の状態を治療するのに十分な量で患者に酸化還元電位水溶液を投与することを含み、該溶液は、約６．４から約７．８のｐＨを持ち、且つ少なくとも約２ヶ月間安定である、当該方法。
【請求項２】
該溶液が、少なくとも約１年間安定である、請求項１記載の方法。
【請求項３】
該ｐＨが、約７．４から約７．６である、請求項１〜２のいずれか１項記載の方法。
【請求項４】
該溶液が、アノード水及びカソード水を含む、請求項１〜３のいずれか１項記載の方法。
【請求項５】
該カソード水が、該溶液の約１０体積％から約５０体積％の量で存在する、請求項１〜４のいずれか１項記載の方法。
【請求項６】
該カソード水が、該溶液の約２０体積％から約４０体積％の量で存在する、請求項１〜４のいずれか１項記載の方法。
【請求項７】
患者における損傷した口腔組織、歯周病及び根管感染症からなる群から選択される歯の状態を治療する方法であって、該方法は、そのような歯の状態を治療するのに十分な量で患者に酸化還元電位水溶液を投与することを含み、該溶液は、少なくとも１つの遊離塩素種を含み、該溶液は、少なくとも約２ヶ月間安定である、当該方法。
【請求項８】
該遊離塩素種が、次亜塩素酸、次亜塩素酸イオン、次亜塩素酸ナトリウム、塩化物イオン、亜塩素酸イオン、溶解塩素気体及びそれらの組み合わせからなる群から選択される、請求項７記載の方法。
【請求項９】
該遊離塩素種が、約１５ｐｐｍから約３５ｐｐｍの量で存在する次亜塩素酸である、請求項７〜８のいずれか１項記載の方法。
【請求項１０】
該遊離塩素種が、約２５ｐｐｍから約５０ｐｐｍの量で存在する次亜塩素酸ナトリウムである、請求項７〜８のいずれか１項記載の方法。
【請求項１１】
患者における損傷した口腔組織、歯周病及び根管感染症からなる群から選択される歯の状態を治療する方法であって、該方法は、そのような歯の状態を治療するのに十分な量で患者に酸化還元電位水溶液を投与することを含み、該溶液は、約１５ｐｐｍから約３５ｐｐｍの量で存在する次亜塩素酸及び約２５ｐｐｍから約５０ｐｐｍの量で存在する次亜塩素酸ナトリウムを含み、該溶液は、少なくとも約２ヶ月間安定であり、該溶液のｐＨは、約６．２から約７．８である、当該方法。
【請求項１２】
患者における損傷した口腔組織、歯周病及び根管感染症からなる群から選択される歯の状態を治療する方法であって、該方法は、そのような歯の状態を治療するのに十分な量で患者に酸化還元電位水溶液を投与することを含み、該溶液中の遊離塩素濃度は、該溶液の調製後少なくとも約２ヶ月間、初期濃度の約８０％以上に維持される、当該方法。
【請求項１３】
口腔又は顎顔面部位を洗浄するための方法であって、該方法は、酸化還元電位水溶液を投与することを含み、該溶液は、約６．４から約７．８のｐＨを持ち、且つ少なくとも約２ヶ月間安定である、当該方法。
【請求項１４】
酸化還元電位水溶液を適用することによる歯科用機器の消毒方法であって、該溶液は、約６．４から約７．８のｐＨを持ち、且つ少なくとも約２ヶ月間安定である、当該方法。
【請求項１５】
患者に酸化還元電位水溶液を投与することによる良好な口腔衛生を維持するための方法であって、該溶液は、約６．４から約７．８のｐＨを持ち、且つ少なくとも約２ヶ月間安定である、当該方法。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
過マンガン酸塩と１−ブロモプロパン生成物混合物を混合することで過マンガン酸塩含有１−ブロモプロパン生成物混合物を生じさせそして前記過マンガン酸塩含有１−ブロモプロパン生成物混合物から精製１−ブロモプロパン生成物を回収することを含んで成る方法。
【請求項２】
１−ブロモプロパン生成物混合物を１−プロパノールと臭化水素から生じさせる方法であって、過マンガン酸塩と前記１−ブロモプロパン生成物混合物を混合することで過マンガン酸塩含有１−ブロモプロパン生成物混合物を生じさせそして前記過マンガン酸塩含有１−ブロモプロパン生成物混合物から精製１−ブロモプロパン生成物を回収することを特徴とする方法。
【請求項３】
前記過マンガン酸塩が固体形態であり、および／または、前記過マンガン酸塩が過マンガン酸ナトリウムまたは過マンガン酸カリウムであり、および／または、前記過マンガン酸塩と前記１−ブロモプロパン生成物混合物を１−ブロモプロパン生成物混合物１０００重量部当たり約０.１から約５重量部の過マンガン酸塩の比率で混合する請求項１または２記載の方法。
【請求項４】
前記混合に先立って前記１−ブロモプロパン生成物混合物を水または少なくとも１種の無機塩基の水溶液で少なくとも１回洗浄しておくか、或は、前記精製１−ブロモプロパン生成物を水または少なくとも１種の無機塩基の水溶液で少なくとも１回洗浄する請求項１または２記載の方法。
【請求項５】
少なくとも１種の１,２−エポキシドを前記精製１−ブロモプロパン生成物と混合する請求項１または２記載の方法。
【請求項６】
前記１,２−エポキシドがブチレンオキサイドであり、および／または、前記１,２−エポキシドを前記精製１−ブロモプロパン生成物中の１,２−エポキシドの濃度が約１００ｐｐｍから約６００ｐｐｍ（重量／重量）の範囲内になる量で混合する請求項５記載の方法。
【請求項７】
水、少なくとも１種の無機塩基の１種以上の水溶液および過マンガン酸塩のみを前記１−ブロモプロパン生成物混合物と接触させるか、或は、水、少なくとも１種の無機塩基の１種以上の水溶液のみを前記精製１−ブロモプロパン生成物と接触させる請求項１、２および６のいずれか記載の方法。
【請求項８】
更に前記精製１−ブロモプロパン生成物から完成１−ブロモプロパン生成物を生じさせることも含んで成り、ここで、前記完成１−ブロモプロパン生成物が６０℃で３０日後に示す酸性度がＨＢｒのｐｐｍとして約１０ｐｐｍ未満である請求項１または２記載の方法。
【請求項９】
過マンガン酸塩と１−ブロモプロパン生成物混合物を含有して成る組成物。
【請求項１０】
過マンガン酸塩が１−ブロモプロパン生成物混合物１０００重量部当たり約０.１から約５重量部の過マンガン酸塩の比率で存在し、および／または前記１−ブロモプロパン生成物混合物の純度が少なくとも約９０％であるか、或は、該組成物中に前記１−ブロモプロパン生成物混合物と過マンガン酸塩のみが存在する請求項９記載の組成物。
【請求項１１】
過マンガン酸塩と接触させた後に前記過マンガン酸塩を除去しておいた１−ブロモプロパン生成物混合物である精製１−ブロモプロパン生成物を含有して成る組成物。
【請求項１２】
１,２−エポキシドが存在しそして該組成物中の前記１,２−エポキシドの濃度が約２５０ｐｐｍから約５００ｐｐｍであるか、或は、前記１,２−エポキシドがブチレンオキサイドである請求項１１記載の組成物。
【請求項１３】
該組成物の水の含有量が約１００ｐｐｍ未満であり、および／または、該組成物が６０℃で３０日後に示す酸性度がＨＢｒのｐｐｍとして約１０ｐｐｍ未満である請求項１１または１２記載の組成物。
【請求項１４】
該組成物中に前記精製１−ブロモプロパン生成物および少なくとも１種の１,２−エポキシドのみが存在するか、或は、該組成物中に前記精製１−ブロモプロパン生成物のみが存在する請求項１１、１２および１３のいずれか記載の組成物。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
ロフルミラスト、ロフルミラストの製剤学的に認容性の塩、ロフルミラスト−Ｎ−オキシド及びロフルミラスト−Ｎ−オキシドの製剤学的に認容性の塩からなる群から選択される第一の療法化合物の量と、ＢＨ４、ＢＨ４の製剤学的に認容性の塩、ＢＨ４誘導体及びＢＨ４誘導体の製剤学的に認容性の塩からなる群から選択される第二の療法化合物の量と、場合により製剤学的に認容性の助剤、希釈剤及び／又は担体とを含み、その際、第一の量と第二の量とが、一緒になって、呼吸器疾患の予防及び／又は治療のための治療学的有効量を成す医薬製剤から構成される組み合わせ製品。
【請求項２】
ロフルミラスト、ロフルミラストの製剤学的に認容性の塩、ロフルミラスト−Ｎ−オキシド及びロフルミラスト−Ｎ−オキシドの製剤学的に認容性の塩からなる群から選択される第一の療法化合物（Ａ）の量と、ＢＨ４、ＢＨ４の製剤学的に認容性の塩、ＢＨ４誘導体及びＢＨ４誘導体の製剤学的に認容性の塩からなる群から選択される第二の療法化合物（Ｂ）の量を含む組み合わせ製品であって、第一の量と第二の量とが、一緒になって、呼吸器疾患の予防及び／又は治療のための治療学的有効量を成し、かつ構成要素（Ａ）と（Ｂ）のそれぞれが、場合により、製剤学的に認容性の助剤、希釈剤及び／又は担体と混合されて製剤化されている組み合わせ製品。
【請求項３】
請求項２記載の組み合わせ製品であって、ロフルミラスト、ロフルミラストの製剤学的に認容性の塩、ロフルミラスト−Ｎ−オキシド及びロフルミラスト−Ｎ−オキシドの製剤学的に認容性の塩からなる群から選択される第一の療法化合物の量を、場合により製剤学的に認容性の助剤、希釈剤及び／又は担体と混合されて含む医薬製剤である構成要素（ａ）と、ＢＨ４、ＢＨ４の製剤学的に認容性の塩、ＢＨ４誘導体及びＢＨ４誘導体の製剤学的に認容性の塩からなる群から選択される第二の療法化合物の量を、場合により製剤学的に認容性の助剤、希釈剤及び／又は担体と混合されて含む医薬製剤である構成要素（ｂ）とから構成される小分けキットから構成され、第一の量と第二の量とが、一緒になって、呼吸器疾患の予防及び／又は治療のための治療学的有効量を成し、かつ構成要素（ａ）と（ｂ）が、他のものと組み合わせて投与するのに適した形態でそれぞれ提供される組み合わせ製品。
【請求項４】
請求項３記載の小分けキットであって、構成要素（ａ）及び（ｂ）が、呼吸器疾患の予防及び／又は治療において、連続的に、別々に、及び／又は同時に使用するために適している小分けキット。
【請求項５】
請求項１から４までのいずれか１項記載の組み合わせ製品であって、第一の療法化合物がロフルミラストである組み合わせ製品。
【請求項６】
請求項１から４までのいずれか１項記載の組み合わせ製品であって、第一の療法化合物がロフルミラスト−Ｎ−オキシドである組み合わせ製品。
【請求項７】
請求項１から６までのいずれか１項記載の組み合わせ製品であって、第二の療法化合物が、（６Ｒ）−Ｌ−エリスロ−５，６，７，８−テトラヒドロビオプテリンである組み合わせ製品。
【請求項８】
請求項１から６までのいずれか１項記載の組み合わせ製品であって、第二の療法化合物が、（６Ｒ）−Ｌ−エリスロ−５，６，７，８−テトラヒドロビオプテリン二塩酸塩である組み合わせ製品。
【請求項９】
請求項１から６までのいずれか１項記載の組み合わせ製品であって、第二の療法化合物が、（６Ｒ，Ｓ）−５，６，７，８−テトラヒドロビオプテリン、１′，２′−ジアセチル−５，６，７，８−テトラヒドロビオプテリン、セピアプテリン、６−メチル−５，６，７，８−テトラヒドロプテリン、６−ヒドロキシメチル−５，６，７，８−テトラヒドロプテリン、６−フェニル−５，６，７，８−テトラヒドロプテリン及びこれらの化合物の製剤学的に認容性の塩からなる群から選択される組み合わせ製品。
【請求項１０】
請求項１から６までのいずれか１項記載の組み合わせ製品であって、第二の療法化合物が、セピアプテリンもしくはその製剤学的に認容性の塩である組み合わせ製品。
【請求項１１】
請求項３から１０までのいずれか１項記載の小分けキットの製造方法において、請求項３から１０までのいずれか１項に定義される構成要素（ａ）と、請求項３から１０までのいずれか１項に定義される構成要素（ｂ）とを連関させ、こうして２つの構成要素を、互いに組み合わせて投与するのに適したものにすることを含む方法。
【請求項１２】
請求項３から１０までのいずれか１項に定義される構成要素（ａ）又は（ｂ）の一方（Ｉ）を、当該構成要素を２つの構成要素の他方と組み合わせて使用することの説明書（ＩＩ）と一緒に含む小分けキット。
【請求項１３】
ＣＯＰＤ、気管支喘息、肺高血圧、肺線維症、肺気腫、間質性肺疾患及び肺炎からなる群から選択される１種以上の呼吸器疾患の予防及び／又は治療において使用するための、請求項１から１０までのいずれか１項記載の組み合わせ製品又は請求項１２記載の小分けキット。
【請求項１４】
ＣＯＰＤの予防及び／又は治療に使用するための、請求項１から１０までのいずれか１項記載の組み合わせ製品又は請求項１２記載の小分けキット。
【請求項１５】
ＣＯＰＤ患者における筋不全の予防及び／又は治療に使用するための、請求項１から１０までのいずれか１項記載の組み合わせ製品又は請求項１２記載の小分けキット。
【請求項１６】
請求項１から１０までのいずれか１項記載の組み合わせ製品又は請求項１２記載の小分けキットを、１種以上の呼吸器疾患の予防及び／又は治療のための医薬組成物の製造のために用いる使用であって、呼吸器疾患が、ＣＯＰＤ、気管支喘息、肺高血圧、肺線維症、肺気腫、間質性肺疾患及び肺炎からなる群から選択される使用。
【請求項１７】
請求項１６記載の使用であって、呼吸器疾患がＣＯＰＤである使用。
【請求項１８】
請求項１から１０までのいずれか１項記載の組み合わせ製品又は請求項１２記載の小分けキットを、ＣＯＰＤ患者における筋不全の予防及び／又は治療のための医薬組成物の製造のために用いる使用。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
腫瘍性疾患の治療のための医薬組成物を製造するための、ＤＨＡグリセリドが濃縮された油の使用であって、該油は該医薬組成物の総重量に対して７０重量％までの濃度で濃縮されており、かつそのドコサヘキサエン酸は該油中の脂肪酸の全アシル基に対して少なくとも５０％の割合である、該油の使用。
【請求項２】
前記医薬組成物がエマルション形態である、請求項１に記載の使用。
【請求項３】
前記濃縮油がエコサペンタエン酸を、前記油の脂肪酸の全アシル基に対して３０％までの重量百分率で含む、請求項１に記載の使用。
【請求項４】
前記濃縮油が１〜７０重量％の範囲である、請求項１に記載の使用。
【請求項５】
前記濃縮油が１０〜３０重量％の範囲である、請求項４に記載の使用。
【請求項６】
前記ドコサヘキサエン酸が５０〜１００％の割合である、請求項１に記載の使用。
【請求項７】
ドコサヘキサエン酸の前記濃度が前記油中の脂肪酸の全アシル基に対して７０重量％〜９０重量％の割合である、請求項６に記載の使用。
【請求項８】
前記ドコサヘキサエン酸が前記油中の全脂肪酸に対して７０重量％の割合である、請求項７に記載の使用。
【請求項９】
前記エマルションの平均径が２００ｎｍ未満である、請求項２に記載の使用。
【請求項１０】
前記医薬組成物が非経口経路により投与される、請求項１に記載の使用。
【請求項１１】
前記医薬組成物が腫瘍内注射により投与される、請求項１に記載の使用。
【請求項１２】
前記医薬組成物が、少なくとも１種の抗腫瘍形成薬を併用して受けている患者に投与される、請求項１に記載の使用。
【請求項１３】
治療すべき腫瘍性疾患が、肺、前立腺、腸、乳房、膵臓、脳、中枢および末梢神経系の癌、黒色腫を含む群のうちの１つである、請求項１〜１２のいずれか一項に記載の使用。
【誤訳訂正書】
【提出日】平成21年4月24日(2009.4.24)
【誤訳訂正１】
【訂正対象書類名】明細書
【訂正対象項目名】０００３
【訂正方法】変更
【訂正の内容】
【０００３】
子牛の胸腺からのヒストンＨ１とＨ２Ａ／Ｈ２Ｂフラクションの、通常の及び放射線照射したラット中における造血幹細胞（ＣＴＵ−Ｓ）への作用は、Semia O.V.らによって非特許文献に記載されている。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
反応器中でメタン、ハロゲン化Ｃ1炭化水素またはこれらの混合物から選択されるＣ1反応物炭化水素を触媒の存在においてハロゲン源および酸素源と接触させること；反応器へのフィード中でハロゲン源に対するＣ1反応物炭化水素のモル比が２３／１より上であるか；あるいは反応器へのフィード中で酸素源に対するＣ1反応物炭化水素のモル比が４６／１より上であるか；あるいは反応器への両方のフィード中でハロゲン源に対するＣ1反応物炭化水素のモル比が２３／１より上であり、そして反応器へのフィード中で酸素源に対するＣ1反応物炭化水素のモル比が４６／１より上であること；反応物炭化水素と比較して少なくとも１つの更なるハロゲン置換基を有するハロゲン化Ｃ1生成物の製造に充分な工程条件下で接触が行われること；触媒が鉄と銅を実質的に含まない希土類ハロゲン化物または希土類オキシハロゲン化物を含んでなる触媒だが、但し、セリウムが触媒中に存在する場合には、少なくとも１つの他の希土類元素も触媒中に存在するものとする、ことを含んでなる、酸化的ハロゲン化方法。
【請求項２】
Ｃ1反応物炭化水素がメタン、クロロメタン、ブロモメタン、ヨードメタン、ジクロロメタン、ジブロモメタン、ジヨードメタン、クロロブロモメタンおよびこれらの混合物からなる群から選択される、請求項１に記載の方法。
【請求項３】
ハロゲン源が元素状ハロゲン、ハロゲン化水素および１個以上の可動性ハロゲン置換基を有するハロゲン化炭化水素からなる群から選択される、請求項１に記載の方法。
【請求項４】
ハロゲン源が塩化水素である、請求項１に記載の方法。
【請求項５】
方法が３０／１より上のハロゲン源に対するＣ1反応物炭化水素のモル比で行われる、請求項１に記載の方法。
【請求項６】
酸素源が分子状酸素と空気からなる群から選択され、そして方法が５０／１より上の酸素源に対するＣ1反応物炭化水素のモル比で行われる、請求項１に記載の方法。
【請求項７】
方法が窒素、ヘリウム、アルゴン、一酸化炭素、二酸化炭素およびこれらの混合物からなる群から選択される希釈剤を更に含んでなる、請求項１に記載の方法。
【請求項８】
希釈剤が反応物炭化水素と希釈剤の合計モル数基準で１０モルパーセントより上で９０モルパーセント未満の量で使用される、請求項７に記載の方法。
【請求項９】
希土類ハロゲン化物または希土類オキシハロゲン化物が式
ＭＯｙＸｚ
（式中、Ｍは１個以上の希土類金属であり；０は酸素であり；ｙは０〜１．５の範囲にある数であり；Ｘはハロゲンイオンであり；そしてｚは０〜３．０の範囲にある数である）
により表される、請求項１〜８のいずれか一つに記載の方法。
【請求項１０】
Ｍがランタンまたはランタンと他の希土類元素との混合物であり、そしてＸが塩素イオンである、請求項９に記載の方法。
【請求項１１】
希土類ハロゲン化物が式ＭＸ3により表され、そして希土類オキシハロゲン化物が式ＭＯＸにより表され、式中、Ｍは、ランタン、セリウム、ネオジミウム、プラセオジミウム、ジスプロシウム、サマリウム、イットリウム、ガドリニウム、エルビウム、イッテルビウム、ホルミウム、テルビウム、ユーロピウム、ツリウム、ルテチウムおよびこれらの混合物からなる群から選択される少なくとも１つの希土類であり；そしてＸは塩素イオン、臭素イオンまたはヨウ素イオンである、請求項９に記載の方法。
【請求項１２】
方法が３７５℃より上で７００℃未満の温度で行われる、請求項１〜８に記載の方法。
【請求項１３】
ハロゲン源の変換率が９５モルパーセントより上である、請求項１〜８に記載の方法。
【請求項１４】
酸素源の変換率が９５モルパーセントより上である、請求項１〜８に記載の方法。
【請求項１５】
Ｃ1反応物炭化水素がメタンであり；ハロゲン源が塩化水素であり；そしてハロゲン化Ｃ1生成物が塩化メチルである、請求項１〜８のいずれか一つに記載の方法。
【請求項１６】
塩化メチルがメタンから製造され；そしてこの塩化メチルが下流工程で使用されて、メタノール、軽質オレフィン、ガソリン、塩化ビニルモノマーまたは酢酸を製造する、請求項１５に記載の方法。
【請求項１７】
（ａ）鉄と銅を実質的に含まない希土類ハロゲン化物または希土類オキシハロゲン化物を含んでなる触媒だが、但し、セリウムが触媒中に存在する場合には、少なくとも１つの他の希土類元素も触媒中に存在する、触媒を含む反応器の中にハロゲン源流を導入し、
（ｂ）反応器へのハロゲン源流を止め；
（ｃ）反応器の中に、メタン、ハロゲン化Ｃ1炭化水素またはこれらの混合物からなる群から選択されるＣ1反応物炭化水素と酸素源を含んでなる混合物流を、反応物炭化水素と比較して少なくとも１個の更なるハロゲン置換基を有するハロゲン化Ｃ1生成物の製造に充分な工程条件下で、前記流中のハロゲン源の濃度が０．５容量パーセント未満であり、そしてハロゲン源に対するＣ1反応物炭化水素のモル比が２３／１より上であるように、導入し；
（ｄ）反応器へのＣ1反応物炭化水素と酸素源を含んでなる混合物流を止め；そして
（ｅ）段階（ａ）〜（ｄ）を交互して繰り返す
ことを含んでなる、ハロゲン化Ｃ1生成物を製造する方法。
【請求項１８】
方法が単一反応器床中でパルス方式で行われ；あるいは別法としては、方法が多反応器床中でスイング方式で、あるいは別法としては循環触媒床付きの反応器を用いて行われる、請求項１７に記載の方法。
【請求項１９】
ハロゲン源が９５モルパーセントより上の変換率まで反応される、請求項１７あるいは１８に記載の方法。
【請求項２０】
酸素源が９５モルパーセントより上の変換率まで反応される、請求項１７あるいは１８に記載の方法。
【請求項２１】
ハロゲン源と酸素源が両方とも９５モルパーセントより上の変換率まで反応される、請求項１７あるいは１８に記載の方法。
【請求項２２】
未変換Ｃ1反応物炭化水素、ハロゲン化Ｃ1生成物、水および存在する場合には残存量のハロゲン源と酸素源を含んでなる生成物流が反応器からの流出物として得られ；そしてこの生成物流からハロゲン化Ｃ1生成物と水が分離されて、未変換Ｃ1反応物炭化水素および存在する場合には残存量のハロゲン源および酸素源を含んでなる再循環流を生じ；そして再循環流を反応器に段階（ｃ）に直接に再循環する、請求項１７あるいは１８に記載の方法。
【請求項２３】
Ｃ1反応物炭化水素がメタンであり；ハロゲン源が塩化水素であり；そしてハロゲン化Ｃ1炭化水素が塩化メチルである、請求項１７あるいは１８あるいは２１に記載の方法。
【請求項２４】
温度が３７５℃より上で７００℃未満である、請求項１７あるいは１８に記載の方法。
【請求項２５】
塩化メチルがメタンから製造され；そしてこの塩化メチルが下流工程で使用されて、メタノール、軽質オレフィン、ガソリン、塩化ビニルモノマーまたは酢酸を製造する、請求項２３に記載の方法。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ａ）分子状酸素の存在下および／または非存在下の第１の反応ステップにおいて、予備精製したプロパンを、均一系脱水素反応、不均一系触媒脱水素反応、均一系酸素脱水素反応および不均一系触媒酸素脱水素反応からなる群から少なくとも１つの脱水素反応に付し、非変換プロパンおよび形成したプロピレンを含むガス混合物１を得て、
ｂ）適宜、ガス混合物１の全体または一部に存在するプロパンおよびプロピレン以外の構成物質の一部または全体を留出し、および／またはそれらを他の化合物に変換し、プロパンおよびプロピレンを含むガス混合物１´を得て、そして少なくとも１つの次の反応ステップにおいて、
ｃ）ガス混合物２の構成物質としてガス混合物１もしくはガス混合物１´または形成したガス混合物１´および残りのガス混合物１の混合物を、ガス混合物１および／またはガス混合物１´に存在するプロピレンの不均一系触媒気相部分酸化および／または部分気相アンモ酸化に付し、少なくとも１つの標的生成物Ｐを含むガス混合物３を得て、
ｄ）少なくとも１つの留出ステップにおいて、ガス混合物３から得られた標的生成物を留出し、および残りの滞留ガスの少なくともプロパンを第１の反応ステップに再循環させることにより、プロピレンの部分酸化および／またはアンモ酸化により少なくとも１つの標的生成物Ｐを製造する方法であって、
予備精製したプロパンは、
≧９０質量％のプロパン
≦９９質量％のプロパンおよびプロピレン
≧１００質量ｐｐｍのＣ2炭化水素類および
≧１００質量ｐｐｍのＣ4炭化水素類
を含む粗製プロパンより得られ、ただし、粗製プロパンは、精留塔に導入され、精製したプロパンを、フィードポイント上で留出し、ただし、精製したプロパンの質量％で存在するプロパンに対するＣ2炭化水素量は、粗製プロパンの該量の８０質量％以上であり、精製したプロパンの質量％で存在するプロパンに対するＣ4炭化水素量は、粗製プロパンの該量の多くても５０質量％であることを特徴とする方法。
【請求項２】
粗製プロパンがＣ2炭化水素類≧５００質量ｐｐｍを含む請求項１に記載の方法。
【請求項３】
粗製プロパン中に存在するＣ2炭化水素類が少なくとも９０質量％までエタンおよびエチレンからなる請求項１または２記載の方法。
【請求項４】
粗製プロパン中に存在するＣ2炭化水素類が少なくとも５０質量％までエタンからなる請求項１から３までのいずれか１項に記載の方法。
【請求項５】
粗製プロパンが≧５００質量のＣ4炭化水素類を含む請求項１から４までのいずれか１項に記載の方法。
【請求項６】
粗製プロパン中に存在するＣ4炭化水素類が少なくとも９０質量％までブタンからなる請求項１から５までのいずれか１項に記載の方法。
【請求項７】
粗製プロパン中に存在するブタンの≧５０質量％がイソブタンである請求項６に記載の方法。
【請求項８】
予備精製したプロパンの質量％で存在するプロパンに対するＣ4炭化水素量が粗製プロパンの該量の多くても１０％である請求項１から７までのいずれか１項に記載の方法。
【請求項９】
予備精製したプロパンの質量％で存在するプロパンに対するＣ2炭化水素量が粗製プロパンの該量の９５質量％以上である請求項１から８までのいずれか１項に記載の方法。
【請求項１０】
予備精製したプロパンの質量％で存在するプロパンに対するＣ2炭化水素量が粗製プロパンの該量の１００質量％より多い請求項１から８までのいずれか１項に記載の方法。
【請求項１１】
予備精製したプロパン中のイソブタン量が≦６００質量ｐｐｍである請求項１から１０までのいずれか１項に記載の方法。
【請求項１２】
精留塔が分離内部構造物として物質交換段を含む請求項１から１１までのいずれか１項に記載の方法。
【請求項１３】
精留塔が５〜２５枚の理論段を有する請求項１から１２までのいずれか１項に記載の方法。
【請求項１４】
粗製プロパンをフィードポイント上の理論段数がフィードポイント下の理論段数より多いように精留塔に供給する請求項１から１３までのいずれか１項に記載の方法。
【請求項１５】
予備精製したプロパンが精留塔頂部で回収される請求項１から１４までのいずれか１項に記載の方法。
【請求項１６】
予備精製したプロパンが少なくとも９９質量％までプロパン、プロピレン、エタンおよびエチレンからなる請求項１から１５までのいずれか１項に記載の方法。
【請求項１７】
全ての反応ステップが１つの反応帯域およびその中に配置された触媒充填物上で実施される請求項１から１６までのいずれか１項に記載の方法。
【請求項１８】
第１の反応ステップが不均一系触媒酸素脱水素反応である請求項１から１７までのいずれか１項に記載の方法。
【請求項１９】
第１の反応ステップが不均一系触媒脱水素反応である請求項１から１７までのいずれか１項に記載の方法。
【請求項２０】
ガス混合物２が＞０〜３０容量％の水蒸気を含む請求項１から１９までのいずれか１項に記載の方法。
【請求項２１】
予備精製したプロパンがプロピレンの不均一系触媒気相部分酸化および／または部分気相アンモ酸化の少なくとも１つの反応ステップに直接供給される請求項１から２０までのいずれか１項に記載の方法。
【請求項２２】
予備精製したプロパンに必要な全量の少なくとも２５質量％がプロピレンの不均一系触媒気相部分酸化および／または部分気相アンモ酸化の少なくとも１つの反応ステップに直接供給される請求項２１に記載の方法。
【請求項２３】
標的生成物Ｐがアクロレイン、アクリロニトリル、アクリル酸および／またはプロピレンオキシドである請求項１から２２までのいずれか１項に記載の方法。
【請求項２４】
ガス混合物２がその中に存在するプロピレンのアクリル酸への２ステージの不均一系触媒部分酸化に付す請求項１から２３までのいずれか１項に記載の方法。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
レコゾタンの医薬組成物であって、レコゾタンおよび薬学的に受容可能な担体を含み、投与時に患者における最高血漿濃度（Ｃｍａｘ）および患者における２４時間血漿濃度（Ｃ２４）を達成する経口剤形の形態であり、患者集団におけるＣｍａｘ／Ｃ２４の平均比が約５：１から約１．１：１である、医薬組成物。
【請求項２】
レコゾタンの医薬組成物であって、レコゾタンおよび薬学的に受容可能な担体を含み、投与時に患者における最高血漿濃度（Ｃｍａｘ）および患者における２４時間血漿濃度（Ｃ２４）を達成する経口剤形の形態であり、患者集団におけるＣｍａｘ／Ｃ２４の平均比が約２．４：１から約１．１：１である、医薬組成物。
【請求項３】
レコゾタンの医薬組成物であって、レコゾタンおよび薬学的に受容可能な担体を含み、投与時に患者における最高血漿濃度（Ｃｍａｘ）および患者における２４時間血漿濃度（Ｃ２４）を達成する経口剤形の形態であり、患者集団におけるＣｍａｘ／Ｃ２４の平均比が約５：１から約０．５：１である、医薬組成物。
【請求項４】
レコゾタンの医薬組成物であって、レコゾタンおよび薬学的に受容可能な担体を含み、投与時に患者における最高血漿濃度（Ｃｍａｘ）および患者における１２時間血漿濃度（Ｃ１２）を達成する経口剤形の形態であり、患者集団におけるＣｍａｘ／Ｃ１２の平均比が約３：１から約０．５：１である、医薬組成物。
【請求項５】
患者へのレコゾタンの投与に関係する有害副作用を最小限にする経口剤形の形態でのレコゾタンの医薬組成物であって、該経口剤形は、レコゾタンおよび薬学的に受容可能な担体を含み、投与時に患者における最高血漿濃度（Ｃｍａｘ）および患者における２４時間血漿濃度（Ｃ２４）を達成し、患者集団におけるＣｍａｘ／Ｃ２４の平均比が約５：１から約１．１：１である、医薬組成物。
【請求項６】
患者へのレコゾタンの投与に関係する有害副作用を最小限にする経口剤形の形態でのレコゾタンの医薬組成物であって、該経口剤形は、レコゾタンおよび薬学的に受容可能な担体を含み、患者における最高血漿濃度（Ｃｍａｘ）および患者における２４時間血漿濃度（Ｃ２４）を達成し、患者集団におけるＣｍａｘ／Ｃ２４の平均比が約２．４：１から約１．１：１である、医薬組成物。
【請求項７】
レコゾタンおよび薬学的に受容可能な担体を含む経口剤形の形態での、レコゾタンの医薬組成物であって、該剤形は、５０ｒｐｍでＵＳＰタイプＩＩ溶解装置において、９００ｍｌの３７℃のＵＳＰ  ｐＨ６．８  リン酸緩衝液中で測定され、各剤形に対してシンカーが用いられる場合、ｉｎ  ｖｉｔｒｏ溶解プロフィールを示し、
（ｉ）該装置での約２時間の測定で４０％以下のレコゾタンが放出され、
（ｉｉ）該装置での約１２時間の測定で約５０％から約８５％のレコゾタンが放出される、
医薬組成物。
【請求項８】
レコゾタンの医薬組成物であって、患者に対する、レコゾタンおよび薬学的に受容可能な担体を含み、投与時に
（ｉ）等価用量のレコゾタンを即時放出製剤から患者集団に投与することから得られる平均Ｃｍａｘ未満である、該患者集団における平均Ｃｍａｘを達成し、
（ｉｉ）等価用量のレコゾタンを即時放出製剤から患者集団に投与することから得られるｔｍａｘを超える、該患者集団における平均ｔｍａｘを達成し、かつ
（ｉｉｉ）等価用量のレコゾタンを即時放出剤形から患者集団に投与することから得られる曲線下面積（ＡＵＣ）と実質的に同じである、該患者集団におけるＡＵＣを有する、時間をわたってのレコゾタンの濃度曲線を達成する、
経口剤形の形態である、医薬組成物。